(57)【要約】【課題】手指がカッターエッジに触れることがない、ロール式メモスタンドを提供する。【解決手段】ロール式メモスタンド１は、ロール紙１０を回転可能な状態で保持する保持部１４と、前記ロール紙１０から引き出されるメモ紙１１を、メモ紙１１の紙面に垂直な方向から挟む挟持部１７と、前記メモ紙１１の挟持位置と、前記メモ紙１１の筆記面の位置と、の間に配設された、カッターエッジ１８１を有するカッター部１８と、メモ紙１１を切り取るときに、前記メモ紙１１が前記カッターエッジ１８１に押し当てられるように、前記カッター部１８を設定する接触機構部２０とを備える。【選択図】図２
0003215420.tif 000002
【実用新案登録請求の範囲】
【請求項１】
ロール紙を回転可能な状態で保持する保持部と、前記ロール紙から引き出されるメモ紙を、メモ紙の紙面に垂直な方向から挟む挟持部と、前記メモ紙の挟持位置と前記メモ紙の筆記面の位置との間に配設された、カッターエッジを有するカッター部と、  メモ紙を切り取るときに、前記メモ紙が前記カッターエッジに押し当てられるように、前記カッター部を設定する接触機構部とを備える、ロール式メモスタンド。
【請求項２】
前記接触機構部は、前記ロール紙の中心軸と略平行な回転軸の回りに、前記カッター部を回転することにより、メモ紙を切り取るときに、前記メモ紙が前記カッターエッジに押し当てられるように、前記カッター部を設定する請求項１に記載のロール式メモスタンド。
【考案の詳細な説明】
【技術分野】
【０００１】
本考案は、ロール式メモスタンドの構成に係るものである。
【背景技術】
【０００２】
ロール紙を用いるメモスタンドとして、メモを筆記した後に、筆記されたメモ紙を、メモ紙の排出側にさらに引き出して、排出側でメモ紙を切り取るロール式メモスタンドが知られている。（例えば、特許文献１）。
【先行技術文献】
【特許文献】
【０００３】
実用新案登録第３１５４３２７号公報
【考案の概要】
【考案が解決しようとする課題】
【０００４】
特許文献１記載のロール式メモスタンドでは、メモ紙の排出側に、筆記したメモ紙を切り取るためのカッターが設けられる。カッターのエッジは、メモ紙の排出方向を向いており、メモ紙に筆記するときに、又はメモ紙を引き出すときに、手指がカッターエッジに触れてしまい、手を切ってしまう可能性があった。
【０００５】
本考案は、筆記者が、メモ紙に筆記中や筆記後にメモ紙を引き出す際に、筆記者の手指がカッターエッジに触れることがない、ロール式メモスタンドを提供することを目的とする。
【課題を解決するための手段】
【０００６】
請求項１に記載の考案では、ロール紙を回転可能な状態で保持する保持部と、前記ロール紙から引き出されるメモ紙を、メモ紙の紙面に垂直な方向から挟む挟持部と、前記メモ紙の挟持位置と、前記メモ紙の筆記面の位置と、の間に配設された、カッターエッジを有するカッター部と、メモ紙を切り取るときに、前記メモ紙が前記カッターエッジに押し当てられるように、前記カッター部を設定する接触機構部とを備える、ロール式メモスタンドを提供する。
【考案の効果】
【０００７】
本考案によれば、筆記者の手指がカッターエッジに触れることがないので、安全性がより向上したロール式メモスタンドを提供できる。
【図面の簡単な説明】
【０００８】
【図１】実施形態例に係るロール式メモスタンド１の外形を示す写真である。
【図２】ロール式メモスタンド１の構成を示す断面図である。
【図３】（Ａ）メモ紙１１を引き出す前のロール式メモスタンド１の主要部分の状態を示す図である。
【図４】（Ｂ）メモ紙１１を引き出して筆記するときのロール式メモスタンド１の主要部分の状態を示す図である。
【図５】（Ｃ）メモ紙を切り取るときにおける、ロール式メモスタンド１の主要部分の状態を示す図である。
【考案を実施するための形態】
【０００９】
本考案に係るロール式メモスタンドの好適な実施の形態について、図１から図５までの図を参照して詳細に説明する。
（１）実施形態の概要
【００１０】
実施形態に係るロール式メモスタンド１は、ロール紙１０を回転可能な状態で保持する保持部１４と、前記ロール紙１０から引き出されるメモ紙１１を、メモ紙１１の紙面に垂直な方向から挟む挟持部１７と、前記メモ紙１１の挟持位置と、前記メモ紙１１の筆記面の位置と、の間に配設された、カッターエッジ１８１を有するカッター部１８と、メモ紙１１を切り取るときに、前記メモ紙１１が前記カッターエッジ１８１に押し当てられるように、前記カッター部１８を設定する接触機構部２０とを備える。
（２）実施形態の詳細
【００１１】
図１は、実施形態に係るロール式メモスタンド１の外形を示す写真である。ロール式メモスタンド１は、底板１３の上に配設された、ロール紙１０を保持する保持部１４、ロール紙１０から引き出されたメモ紙を挟む挟持部１７、メモ紙の筆記面を載せる下敷き１６、メモ紙を切り取るカッター部１８、カッター部１８を設定する接触機構部２０、などから構成される。
【００１２】
また、ロール式メモスタンド１は、付属物として、ロール紙１０の外周面を覆うカバー部１２、ロール紙１０を幅方向（Ｙ軸方向）から覆う側板１５、メモ紙をつまむときに手指を湿らせるための水を含ませたスポンジ２１、筆記ペンを立てるペン立２２、ロール式メモスタンド１を持ち上げるための把手２３などを備える。
【００１３】
図２は、実施形態に係るロール式メモスタンド１の主要部分の構成を示す断面図である。図２の断面図は、ロール紙１０の中心軸上の点を通り、ＸＺ面に平行な平面で切断した断面を示す。図１に示す部材と同じ部材には、同じ符号を付す。また、図２は、ＸＺ断面には現れない部材ではあるが、ロール式メモスタンド１の構成の説明に必要な一部の部材について、図１と同じ符号を付けて、当該部材がＸＺ面へ投影された形状を破線で示す。
【００１４】
ロール紙１０を保持する保持部１４は、軸部１４１および支持部１４２から構成される。軸部１４１は、円柱状のロール紙１０の中心軸に沿って設けられている貫通孔に挿入される。ロール紙１０は、メモ紙１１を引き出すときに、軸部１４１を中心にして、軸部１４１のまわりで回転する。支持部１４２は、Ｙ軸方向の両端または片端で軸部１４１を支持する。支持部１４２は、下端（−Ｚ側端）を底板１３に固定される。これによって、ロール紙１０は、底板１３上の決まった位置に、回転可能な状態で保持される。
【００１５】
挟持部１７は、ロール紙１０から引き出されるメモ紙１１を、メモ紙１１の紙面に垂直な方向から挟んで固定する。挟持部１７は、例えば、ロール紙１０の外周面を覆うカバー部１２の端部に設けられる。挟持部１７は、カバー部１２の端部に設けられた一方の挟持面と、それに対向する底板１３の上面からなる他方の挟持面との間でメモ紙１１を挟持する。対向し合う挟持面の片側、又は両側の面は、滑り抵抗が大きいゴム、スポンジなどの材料から形成される。挟持部１７で挟持されたメモ紙１１は、メモを筆記中に、容易にずれない程度の強さで固定される。
【００１６】
尚、挟持部１７は、必ずしもカバー部１２の端部に配置される必要はない。カバー部１２が存在しない場合であっても、ロール式メモスタンド１は、ロール紙１０から引き出されたメモ紙１１を挟んで固定する挟持部１７を備えていればよい。カバー部１２が存在する場合には、挟持部１７は、カバー部１２の端部に配設されるのが望ましい。消耗品であるロール紙１０を交換したときに、カバー部１２を閉めるのと同時に、メモ紙１１を挟持することができるからである。
【００１７】
下敷き１６は、ロール紙１０から引き出されたメモ紙１１の筆記面を載せる平面部分である。ロール式メモスタンド１の使用者は、下敷き１６の上に載置されたメモ紙１１の筆記面にメモを筆記する。図２は、下敷き１６がロール式メモスタンド１と一体になっている例を示しているが、必ずしもこのような形態に限られない。下敷き１６は、ロール式メモスタンド１のメモ紙１１を供給する部分（ロール紙１０から挟持部１７までの部分）から切り離されていてもよい。下敷き１６は、ロール紙１０から引き出されたメモ紙１１の筆記面を載せる平面部分であればよい。
【００１８】
カッター部１８は、メモ紙１１を挟む挟持部１７の挟持位置と、上記のメモ紙１１の筆記面の位置との間に配設される。カッター部１８は、メモ紙１１の挟持位置とメモ紙１１の筆記面の位置との間において、より挟持位置に近い側に配設するのが望ましい。メモ紙１１の筆記面を、できるだけ広くとるためである。
【００１９】
カッター部１８は、Ｙ方向に長辺を有するカッターエッジ１８１を有する。メモ紙１１を切り取るときには、メモ紙１１の紙面が、カッターエッジ１８１のエッジ先端部に押し当てられる。即ち、後述するように、メモ紙１１の＋Ｘ方向の端部を＋Ｚ方向に持ち上げたときに、メモ紙１１の紙面が、挟持部１７の挟持位置と、メモを筆記した筆記面の位置との間で、Ｙ軸方向に長手方向を有するカッターエッジ１８１の先端部に押し当てられることによって、メモ紙１１は切り取られる。
【００２０】
接触機構部２０は、メモ紙１１を切り取るときに、メモ紙１１がカッターエッジ１８１に押し当てられるように、カッター部１８を設定する機構部である。接触機構部２０は、カッター部１８を回転軸１８２の回りで回転させて、カッター部１８の向きを変える。回転軸１８２は、例えば、カッター部１８のＹ軸方向の両端部から、ロール紙の中心軸と略平行な方向に延伸し、対向する２枚の側板１５を貫通する軸である。図２の円弧の両端に矢印で示されている（ａ）および（ｂ）の状態は、カッターエッジ１８１が、（ａ）および（ｂ）のそれぞれの矢印で示す向きに設定された状態を示す。
【００２１】
接触機構部２０は、メモ紙１１を切り取るときには、カッター部１８を図２の（ｂ）状態に設定する。図２の（ｂ）状態のカッターエッジ１８１は、ロール紙１０から引き出されたメモ紙１１の紙面の方向を向く。このときカッター部１８は、メモ紙１１の紙面が、カッターエッジ１８１に押し当てることができる向きに設定される。
【００２２】
一方、接触機構部２０は、メモ紙１１を切り取るとき以外には、カッター部１８を図２の（ａ）状態に設定する。図２の（ａ）状態のカッターエッジ１８１は、ロール紙１０から引き出されたメモ紙１１の紙面の方向とは略逆方向を向く。このときメモ紙１１の紙面は、カッターエッジ１８１に押し当てることができない。
【００２３】
接触機構部２０は、メモ紙１１を切り取るときに、カッター部１８を一時的に図２の（ｂ）状態に設定するが、メモ紙１１の切り取りが終われば、図２の（ａ）の状態に戻るような機構を更に有していてもよい。
【００２４】
更に変形例として、接触機構部２０は、カッターエッジ１８１がメモ紙１１の紙面の方向を向いたままで、カッター部１８を平行移動させるような機構であってもよい。この場合、接触機構部２０は、メモ紙１１を切り取るときには、カッター部１８を、例えば右下方向（（＋Ｘ−Ｚ）方向）に移動させる。これにより、カッターエッジ１８１は、メモ紙１１の紙面に接触するように設定される。一方、メモ紙１１を切り取るとき以外には、接触機構部２０は、カッター部１８を、例えば左上方向（（−Ｘ＋Ｚ）方向）に移動させる。これにより、カッターエッジ１８１は、メモ紙１１の紙面にから十分に離れた位置に設定される。
【００２５】
凹溝１９は、挟持部１７の近傍において、底板１３の上面に設けられた溝である。凹溝１９は、ロール紙１０からメモ紙１１を引き出すときに、メモ紙１１の端部を手指でつまみ易くするための溝である。図２の場合、ロール紙１０の巻き取りの向きを反映して、ロール紙１０から引き出されたメモ紙１１は、底板１３の上面で＋Ｚ方向が凸方向となるように反っている。ロール式メモスタンド１の使用者は、凹溝１９に手指の先端を入れることにより、反ったメモ紙１１の端部を容易につまんで引き出すことができる。
【００２６】
図３は、メモ紙を引き出す前のロール式メモスタンド１の主要部分の状態を示す概略図である。図３および以降の図面において、図１および図２に示されている部材と同じ部材には、同じ符号を付して説明を省略する。図３は、前回のメモ紙１１の使用が終わって、メモ紙１１が切り取られたあと、次のメモ紙１１の使用のために、メモ紙１１を引き出す前の状態を示す。切り取られた残りであるメモ紙１１の端部は、挟持部１７の近傍に設けられた凹溝１９の位置にある。接触機構部２０は、カッター部１８を、図２の（ａ）状態に設定する。カッターエッジ１８１は、ロール紙１０から引き出されるメモ紙１１の紙面の方向とは略逆方向に向いている。
【００２７】
メモ紙１１を使用するために、使用者は、図３の状態にあるメモ紙１１の端部を手指でつまんで、ロール紙１０から引き出す。このとき手指の先端は、カッター部１８の近くまで到達する。しかし、カッターエッジ１８１は、メモ紙１１の紙面の方向とは略逆方向に向いているため、手指がカッターエッジ１８１に触れることがない。
【００２８】
図４は、メモ紙を引き出して筆記するときのロール式メモスタンド１の主要部分の状態を示す概略図である。接触機構部２０は、カッター部１８を、図２の（ａ）状態に設定したままである。使用者は、下敷き１６の位置まで引き出したメモ紙１１を下敷き１６の上に載置して、下敷き１６に載せた筆記面にメモを筆記する。このとき、筆記具を持つ手指は、カッター部１８の近くまで到達することがあり得る。しかし、カッターエッジ１８１は、メモ紙１１の紙面の方向とは略逆方向に向いているため、図４においても、手指がカッターエッジ１８１に触れることがない。
【００２９】
図５は、メモ紙を切り取るときのロール式メモスタンド１の主要部分の状態を示す概略図である。接触機構部２０は、カッター部１８を、図２の（ｂ）状態に設定する。カッターエッジ１８１は、ロール紙１０から引き出されるメモ紙１１の紙面の方向に向いている。使用者は、メモ紙１１の＋Ｘ方向の端部を＋Ｚ方向に持ち上げて、メモ紙１１の紙面をカッターエッジ１８１の先端部に押し当てて、メモ紙１１を切り取る。このときカッターエッジ１８１はメモ紙１１の紙面の方向に向いているが、使用者の手指は、メモ紙１１の＋Ｘ方向の端部をつまんでいる状態にあるため、図５においても、手指がカッターエッジ１８１に触れることがない。
【００３０】
以上のように、本実施形態に係るロール式メモスタンド１は、ロール式メモスタンド１を使用するときの全ての状態において、手指がカッターエッジに触れることなく、ロール式メモスタンド１を使用することができる。
【００３１】
また、本実施形態に係るロール式メモスタンド１では、前回のメモ使用と次回のメモ使用との間の図３に示す状態にあるとき、切り取られた後に残るメモ紙１１は、ロール紙１０からほとんど引き出されていない状態にある。次に使うメモ紙１１の未使用の紙面は、ロール紙１０に巻き込まれた状態で待機する。
【００３２】
ロール紙１０の外周面がカバー部１２で覆われている場合、本実施形態に係るロール式メモスタンド１は、次に使うメモ紙１１の未使用の紙面を、カバー部１２で覆いながら次回の使用まで待機することができる。従って、本実施形態に係るロール式メモスタンド１は、例えば油などが飛び散る可能性がある環境で使用しても、いつもきれいな筆記面を使えるというメリットがある。
【００３３】
以上は、本考案を実施の形態を用いて説明したが、本考案の技術的範囲は、上記実施の形態に記載された例には限定されない。実施の形態に変更または改良を加えることが可能であることが当業者に明らかである。その様な変更または改良を加えた形態も本考案の技術的範囲に含まれる。
【００３４】
１…ロール式メモスタンド、１０…ロール紙、１１…メモ紙、１２…カバー部、１３…底板、１４…保持部、１５…側板、１６…下敷き、１７…挟持部、１８…カッター部、１９…凹溝、２０…接触機構部、２１…スポンジ、２２…ペン立、２３…把手、１４１…軸部、１４２…支持部、１８１…カッターエッジ、１８２…回転軸
【図１】
0003215420.tif 000003
【図２】
0003215420.tif 000004
【図３】
0003215420.tif 000005
【図４】
0003215420.tif 000006
【図５】
0003215420.tif 000007